(57)【要約】【課題】設備資金が余りかからず、土農業に価格や品質で負けない、さらに省エネルギーで一年中生産でき、あらゆる種類の野菜が生産できる、室内水耕栽培（ロックウール栽培を含む溶液栽培）を目的とする。【解決手段】建物は現在ある、空き店舗　空き倉庫等々の空間を利用し設備資金を抑え、その土地の独特の温度や四季の温度変化を考え合わせて、省エネルギーで一年中生産できる、水温及び室温の関係の法則を作り上げることで、土農業と同じくらいの価格で生産できる、室内水耕栽培（ロックウール栽培を含む溶液栽培）を作り上げることが出来ました。さらに狭い空間を利用した、植物の成長に合わせたしつけ方法を、作り上げることにより何年も生産できることができました。【選択図】　　　　　図２
2004008190.tif 000002
【特許請求の範囲】
【請求項１】
室内水耕栽培における、水温及び室温の制御方法において
▲１▼水温・室温共に特定の温度範囲で制御する手段を備え
▲２▼日中は水温と室温との温度差をつけ、かつ室温の方を高く保持し
▲３▼夜間は水温と室温との温度差をつけることを特徴とする、室内水耕栽培の水温及び室温制御方法。
【請求項２】
前記において特定の温度範囲とは下記のいずれかであることを特徴とする請求項１記載の水温及び室温制御方法。
▲１▼　１℃〜４℃　　　　　　　▲２▼７℃〜１３℃
▲３▼１７℃〜２３℃　　　　　　▲４▼２７℃〜３３℃
▲５▼３７℃〜４３℃　　　　　　▲６▼４７℃〜５３℃
【請求項３】
人工光によって昼と夜を制御する手段を、備えたことを特徴とする請求項１又は請求項２記載の水温及び室温の制御方法。
【請求項４】
前記人工光による昼夜の最低時間は、７時間とし最高時間は１２時間とすることを特徴とする請求項３記載の水温及び室温の制御方法。
【請求項５】
前記水温と室温との温度差は、最低３℃から最高４０℃とすることを特徴とする請求項１〜５のいずれか１項に記載の水温及び室温制御方法。
【発明の詳細な説明】
【０００１】
【発明の属する技術分野】
室内水耕栽培（ロックウール栽培を含む溶液栽培）における、水温と室温の関係を明らかにして、経済的で安定した生産を可能にした方法を考案した。
【０００２】
【従来の技術】
当初はビニール・ガラスハウスに水耕（ロックウール栽培を含む溶液栽培）ベットを設置したものが主流でした、この方法はハウスに保温力がないために、夜間の暖房費がかかり過ぎています、その上に年一回しか生産ができないために投資効率が悪いうえに、夏場は水温　室温共に上がり過ぎてしまい生産ができない。最近は室内栽培が始まりましたが、一定の室温を保つために設備に資金がかかり過ぎています。それは四季や地域に関係なく水温と室温を固定温度にする為に設備に大きなコストがかかる、またエネルギーコストも多く必要です、これでは土農業との価格差があり過ぎて競争になりません、ここに現在の問題があります。（　図　１参照　）
【０００３】
【発明が解決しようとする課題】
日本の四季が水温と室温の関係でどのように変化するのか、そして植物の生長と温度の関係はどうなっているのか、これらの関係の中から法則を見つけだすことが大切です。その法則を季節に対応することによって、地域気候にあった安定的、経済的生産することができるシステムを作りあげることです。
【０００４】
【課題が解決するための手段】
天候により光の量や気温が、左右されていては安定した生産はできません。そこで空きビル　空き店舗　空き倉庫等々を利用して室内で栽培することが重要になります。安く設備を作ることと、室内で生産することで保温力がよいために冷暖房費が少なく、天候に左右されず経済的で安定した生産が可能になります。
次にそうした設備の中で、水温を一定にして室温を動かしてゆく、次に室温を一定にして水温を動かす。こうしたことにより植物が生長する仕組みを、作り出すことが出来ました。（図　２参照　）
【０００５】
【発明の実施形態】
私たちの長年の実験の結果、水温及び室温ともに生長する温度帯が存在することを発見いたしました。
１℃〜４℃　　７℃〜１３℃　　１７℃〜２３℃　　２７℃〜３３℃
３７℃〜４３℃　　４７℃〜５３℃
これだけの生長可能な温度帯が存在する、ここをはずれるとまったく生長しない。
この生長しない温度帯が続くと、病気や虫が発生したり枯れたりしてしまいます。水温及び室温この二つの温度帯の組み合わせの仕方が、大切となります。よって季節による気温変化、あるいは地域ごとの気温差に応じて、上記生長可能な温度帯の組み合わせを選ぶことにより、安定生産ができます。
【０００６】
温度の組み合わせにより高山植物、赤道の植物の環境が解明できます。
また米のおいしい地方、特別な野菜のできる地方、これらの気候風土が土温及び空気温の変化として理解ができます。
水温及び室温の温度の組み合わせの法則は、現在の水耕栽培に取り入れることも出来ます、今後の土農業にも活用することができます。
【０００７】
育苗の発芽から二葉が出るまでは、水温と室温の温度差は少ない方がよいがそれ以外の時期は３℃以上の温度差が必要になります。温度差の大きさによって生長具合が違ってきます、促成栽培が可能になります。
土農業で夏野菜　冬野菜の種まきがそれぞれ３月末から４月末、８月末から９月末になされるのは、土温と空気温が同じになる時です。
【０００８】
昼間の水温と室温の関係で大切なことは、水温よりも室温が低い状態が続きますと、ウドンコ病や虫が発生して枯れる方向に進みます。夏野菜が終わるのは水温と室温の温度差がなくなることと、昼間水温よりも室温が高い状態が続いた時です。こうした時期には種ができ次の子孫を残す活動になってきます。この時には商品価値が下がってしまいます、同時に継続生産ができなくなります。
【０００９】
夜間は水温よりも室温が高くとも、水温よりも室温が低くとも生産が可能になります。
この関係によって夏野菜　冬野菜の仕組みができています。夜間の室温の変化によって特質が違ってきます、夏野菜はビタミン類が多くなってきます、冬野菜は糖類がふえて甘さが多くなります。このようにニーズにより水耕栽培（ロックウール栽培を含む溶液栽培）は水温及び室温を管理することにより、多様な性質の野菜を作り出すことが出来ます。（図　２参照　）
【００１０】
寒冷地や標高の高いところは、水温１℃〜４℃　７℃〜１３℃の帯を使い野菜を生産することができます。その時には葉ものや実ものは、少々葉　皮　茎が固めになります。逆に暑い地方では水温１７℃〜２３℃　２７℃〜３３℃を使うことによって生産することができます。この時には葉　茎　実は大きくなりますし柔らかくなりますが、少々味が大味になります。また昼間と夜間の温度差の大きい地方も応対できます、こうした場所の特別な産物も作ることができます。上記の水温を使った方法により室内の冷暖房費が少なくなり、省エネルギー栽培になります。
【００１１】
植物は本来は強いものです、環境（水温　室温　光）を整えれば何年も何年も生産することが可能です。一回限りと思っていた葉もの野菜も根を残して３〜４ｃｍ位　茎を残しますと、また芽が出て再生してきます。次に実のなる野菜は１０〜２０ｃｍ位　茎を残しますと、桑の木のように何回も何回も芽が出てきます。こうしたことにより種代の節約になります。植物本来は環境さえ整えれば、一年草と思っていたものが、多年草になることがわかります。水温　室温　光の管理が出来る室内水耕栽培は、植物本来の力が出せる最高の方法です。
【００１２】
光によって昼　夜を作りますが、光の強さは葉もの実ものによって違ってきます。通常葉ものは４００ルックスから１０００ルック　実のなる作物は１５００ルックスから２０００ルックスとなります。こうした光の調整が出来るようにしておくことが大切になります。太陽光の場合には光の強さと同時に、熱量も多くなるのでビニール・ガラスハウスでは、室内温度が高くなり同時に、水温も上がってしまい熱効率が悪くなります。その上に夏場の生産が難しいのが現状です。また季節によって昼の長さ夜の長さが変わる為に、生長の仕方が一定しません。室内栽培にすることによって、水温　室温　光の強さ　光の量と時間これらが、調整できるので目的にあった安定生産ができます。
【００１３】
室内水耕栽培（ロックウール栽培を含む溶液栽培）では狭い場所でいかに多くの作物を生産するか、これが経済効率を考えたときに大切な要素になってきます。葉ものは二段　三段ベットで作り、作物との間隔をいかに研究するかです。実もの作物を生産する大きなポイントは、作物のしつけの研究です。人の手を余りかけずにいかに収穫をすることが出来るか、また何年も生産を続けるにはどのように伸ばしていくか、研究する必要があります。当面別紙の機材を使って２０ｍ以上生長させることができました。（　図　３参照　）
【００１４】
【発明の効果】
生産可能な水温及び室温波形の組み合わせと、植物の生長温度帯の組み合わせにより、四季や地方独自の気温を利用して省エネルギー　通年栽培を可能にした。室内水耕栽培（ロックウール栽培を含む溶液栽培）では、水温　室温　光の強さ光の量これらがしっかり管理調整されれば、上に向かい二段　三段　四段・・・・と生産が可能です。横方向にはベット内の種類　数もすべて自由に生産できます。作業効率や作物の大きさ補助材これらを考えて工夫すれば、大変に経済的な生産が可能になります。
【００１５】
野菜が生産されているときは、水は流れていなくとも全く腐ることはありません。野菜がだめになるとすぐに腐ってきます、ゆえに植物を生かしておけば、何年も水を替える必要はありません。少なくなった分だけ補給すればよいだけです。また肥料もそれほど必要なく神経質に管理することはありません、水温及び室温の管理これが一番です。
【図面の簡単な説明】
【図１】水温と室温の関係の従来例
【図２】本発明における水温と室温の関係
【図３】機材を使ったしつけの方法
トマト　キュウリ・・・・支柱を必要として長く先端が生長する野菜をできる限
り長く生長させる機材
ナス　ピーマン・・・・木のように中心の幹と横の枝が出て生長する野菜を支え
て生長させる機材
マメ　コメ　　・・・・茎が細かったり実が垂れ下がる野菜を、アミによって茎
を支えながら生長させる機材
【図１】
2004008190.tif 000003
【図２】
2004008190.tif 000004
【図３】
2004008190.tif 000005